(57)【要約】【課題】  被処理物の処理中においても、前面開口を完全に閉塞し得る手腕挿入開口可動式フードを提供する。【解決手段】  本体３の前面の前面開口５に上下動可能ガラス板７が前面開口５に沿って上下方向に移動可能に構成されるとともに、この上下動可能ガラス板７に設けられた２枚の窓ガラス１９ａ、１９ｂが左右方向に移動可能に取り付けられ、この窓ガラス１９ａ、１９ｂに形成された筒状孔２１ａ、２１ｂに作業者が手を入れて、この手を上下左右に自在に移動させることができる。【選択図】        図１
2013230423.tif 000002
【特許請求の範囲】
【請求項１】
作業空間前面の開口を上下方向に移動する透明板によって閉塞する前面開口閉塞手段と、
この前面開口閉塞手段に設けられる作業者の手を挿入するための挿入孔の位置を左右方向に移動可能とする挿入孔位置移動手段と、
を有することを特徴とする手腕挿入開口可動式フード。
【請求項２】
前記前面開口閉塞手段は、閉塞する透明板の重量を低減する重量低減手段を備えることを特徴とする請求項１記載の手腕挿入開口可動式フード。
【請求項３】
前記挿入孔位置移動手段は、前記前面開口閉塞手段に形成された横長の開口部と、この開口部を閉塞しつつ引戸式に左右方向に移動可能に取り付けられる板材と、この板材に設けられた作業者の手を挿入するための挿入孔とを有することを特徴とする請求項１または２記載の手腕挿入開口可動式フード。
【発明の詳細な説明】
【技術分野】
【０００１】
本発明は、例えば被処理物を作業空間において処理する際に作業者が被処理物の影響を受けないように作業空間を隔離する所謂ドラフトチャンバおよびクリーンベンチなどの手腕挿入開口可動式フードに関する。
【背景技術】
【０００２】
この種の手腕挿入開口可動式フードにおいては、作業空間に置かれた被処理物、具体的には例えば人体や環境に有害な薬品や細菌などの被処理物を処理する際に、作業者や居室空間が被処理物の影響を受けないように作業空間を隔離するようにしている。そのために、作業空間の前面を、透明なガラスの開閉扉で開閉し得るようになっている。そして、作業者が被処理物を処理する場合には、開閉扉を開き、この開閉扉の開いた前面開口から作業者が手を挿入して、被処理物を処理している。
【０００３】
そして、被処理物を処理するために、作業者が前面開口から作業空間内に手を挿入する場合にも、作業空間から有害な気体や細菌が漏れ出ないように、作業空間の空気を排気して、作業空間の気圧を外気より低くなるようにしている。
【０００４】
さらには密閉性を高めるために、作業者は、前面開口の開閉扉を完全に閉じ、開閉扉に設けられた開口に取り付けられたゴム手袋を介して作業空間内の被処理物を処理するようにしている。
【０００５】
しかしながら、ゴム手袋を取り付ける開口は開閉扉の所定の位置に設けられていることから、作業空間内で届く範囲は限られてものとなっていた。そのため被処理物の両側端や上方には手が届かない、あるいは被処理物の正面からのみしか処理ができない、といった不具合が指摘されている。
【先行技術文献】
【特許文献】
【０００６】
【特許文献１】特許第２８０１８６４号
【発明の概要】
【発明が解決しようとする課題】
【０００７】
本発明は、上記に鑑みてなされたもので、その目的とするところは、ドラフトチャンバあるいはクリーンベンチ等の作業空間を広く利用するができる手腕挿入開口可動式フードを提供することにある。
【課題を解決するための手段】
【０００８】
上記課題を達成するため、請求項１記載の手腕挿入開口可動式フードは、作業空間前面の開口を上下方向に移動する透明板によって閉塞する前面開口閉塞手段と、この前面開口閉塞手段に設けられる作業者の手を挿入するための挿入孔の位置を左右方向に移動可能とする挿入孔位置移動手段と、を有することを要旨とする。
【０００９】
請求項２に記載の手腕挿入開口可動式フードは、前記前面開口閉塞手段は、閉塞する透明板の重量を低減する重量低減手段を備えることを要旨とする。
【００１０】
請求項３に記載の手腕挿入開口可動式フードは、前記挿入孔位置移動手段は、前記前面開口閉塞手段に形成された横長の開口部と、この開口部を閉塞しつつ引戸式に左右方向に移動可能に取り付けられる板材と、この板材に設けられた作業者の手を挿入するための挿入孔とを有することを要旨とする。
【００１１】
作業空間の前側の前面開口から吸い込まれた吸込風が作業空間を通過した後、後方の排気口から外部に排出される手腕挿入開口可動式フードであって、前記前面開口を閉塞しながら前面開口に沿って上下方向に移動可能に構成されるとともに作業空間内を目視し得るように透明な板材で構成される上下動可能透明板と、この上下動可能透明板に形成された横長の開口部と、この開口部を閉塞しながらも開口部に引戸式に左右方向に移動可能に取り付けられる透明な板材で構成される２枚の左右移動透明板であって、この２枚の左右移動透明板の各々に作業者の手を挿入するための挿入孔が形成された２枚の左右移動透明板とを有するように構成しても良い。
【００１２】
このような手腕挿入開口可動式フードでは、上下動可能透明板が前面開口に沿って上下方向に移動可能であるとともに、この上下動可能透明板の開口部に取り付けられた２枚の左右移動透明板が開口部を閉塞しながらも引戸式に左右方向に移動可能であるため、２枚の左右移動透明板に形成された２個の挿入孔に作業者が手を挿入すれば、作業者は手を上下左右に自在に移動でき、作業空間内の任意の位置に移動できるとともに、手を上下左右に自在に移動しても、上下動可能透明板および左右移動透明板の移動で完全な閉塞状態が保たれ、前面開口に隙間ができることがなく、従って作業者は作業空間内からの有毒ガスや悪臭などを吸い込むことなく、安全に作業をおこなうことができる。
【００１３】
上下動可能透明板が、左右両端に上方から吊るされたロープの一端が取り付けられ、当該ロープの他端は、上下動可能透明板の上方に固定された滑車を介してバランス錘に取り付けられ、このバランス錘によりバランス状態で静止して吊り下げられるように構成しても良い。
【００１４】
このような手腕挿入開口可動式フードでは、上下動可能透明板は上方から吊るされたロープの一端に取り付けられ、このロープの他端は滑車を介してバランス錘に取り付けられ、このバランス錘によりバランス状態で静止して吊り下げられているため、上下動可能透明板は上下方向の任意の位置に移動させられても、その移動位置でバランスをとって静止することができるとともに、前記挿入孔に作業者が手を挿入して、上下に移動させれば、バランス錘でバランスを取りながら、任意の位置に容易に移動して静止することができる。
【００１５】
左右移動透明板に形成された前記挿入孔に作業者が両手を挿入して、この両手を上下方向に移動させると、この上下方向の移動に応じて前記上下動可能透明板が前記バランス錘でバランスを取りながら上下方向に移動し、両手を左右方向に移動させると、この左右方向の移動に応じて前記２枚の左右移動透明板が左右方向に移動するように構成しても良い。
【００１６】
このような手腕挿入開口可動式フードでは、挿入孔に作業者が両手を挿入して、両手を上下方向に移動させることにより、バランスを取りながら両手を上下左右の任意の位置に移動できるため、作業空間内の任意の位置への移動に円滑かつ隙間を形成することなく、自由に移動して処理作業を行うことができる。
【００１７】
２枚の左右移動透明板が、前記開口部に取り付けられた窓枠に引戸式に左右方向に移動可能に取り付けられていることを要旨とする。
【００１８】
このような手腕挿入開口可動式フードでは、２枚の左右移動透明板が上下動可能透明板の開口部の窓枠に引戸式に左右方向に移動可能に取り付けられているため、作業者は手を左右方向の任意の位置に容易に移動でき、処理作業を円滑に行うことができる。
【００１９】
２個の挿入孔が、外側に延出した筒状部を有する筒状孔で構成され、この筒状孔の筒状部にゴム手袋の開放端部を密着状態で取り付け、この密着状態で筒状孔の筒状部に取り付けられたゴム手袋に作業者が手を挿入して作業空間内に手を入り、作業空間における被処理物に対する処理作業を行うように構成しても良い。
【００２０】
このような手腕挿入開口可動式フードでは、挿入孔が筒状部を有する筒状孔で構成され、この筒状孔の筒状部にゴム手袋の開放端部を取り付け、このゴム手袋に作業者が手を挿入して作業空間内に手を入れ、作業空間における被処理物に対する処理作業を行うため、作業者が手を挿入する部分においても隙間ができず、作業空間内からの有毒ガスや悪臭などを吸い込むことなく、安全に作業をおこなうことができる。
【００２１】
上下動可能透明板は、透明なガラス板であり、前記左右移動透明板は、引戸式の透明な窓ガラスであるように構成しても良い。
【００２２】
このような手腕挿入開口可動式フードでは、上下動可能透明板が透明なガラス板であり、左右移動透明板が引戸式の透明な窓ガラスである。
【発明の効果】
【００２３】
本発明によれば、作業空間前面の開口を上下方向に移動する透明板によって閉塞する前面開口閉塞手段と、この前面開口閉塞手段に設けられる作業者の手を挿入するための挿入孔の位置を左右方向に移動可能とする挿入孔位置移動手段とを備えているので、前面開口を完全に閉塞しつつ、作業者の手が挿入された挿入孔の位置を作業者の意志通りに上下左右に自由に移動することが可能となる。
【００２４】
また、前面開口閉塞手段は、閉塞する透明板の重量を低減する重量低減手段を備えることから、前面開口閉塞手段の重量を意識することなく作業をすることが可能となる。
【００２５】
上下動可能透明板が前面開口に沿って上下方向に移動可能であるとともに、この上下動可能透明板の開口部に取り付けられた２枚の左右移動透明板が開口部を閉塞しながらも引戸式に左右方向に移動可能であるので、２枚の左右移動透明板に形成された２個の筒状孔に作業者が手を挿入すれば、作業者は手を上下左右に自在に移動でき、作業空間内の任意の位置に移動できるとともに、手を上下左右に自在に移動しても、上下動可能透明板および左右移動透明板の移動で前面開口に隙間ができることがなく、従って作業者は作業空間内からの有毒ガスや悪臭などを吸い込むことなく、安全に作業をおこなうことができる。
【００２６】
また、本発明によれば、上下動可能透明板は上方から吊るされたロープの一端に取り付けられ、このロープの他端は滑車を介してバランス錘に取り付けられ、このバランス錘によりバランス状態で静止して吊り下げられているので、上下動可能透明板は上下方向の任意の位置に移動させられても、その移動位置でバランスをとって静止することができるとともに、前記挿入孔に作業者が手を挿入して、上下に移動させれば、バランス錘でバランスを取りながら、任意の位置に容易に移動して静止することができる。
【００２７】
更に、本発明によれば、２枚の左右移動透明板は上下動可能透明板の開口部の窓枠に引戸式に左右方向に移動可能に取り付けられているので、比較的簡単な構造で作業者は手を左右方向の任意の位置に容易に移動でき、処理作業を円滑に行うことができる。
【００２８】
本発明によれば、挿入孔が筒状部を有する筒状孔で構成され、この筒状孔の筒状部にゴム手袋の開放端部を取り付け、このゴム手袋に作業者が手を挿入して作業空間内に手を入れ、作業空間における被処理物に対する処理作業を行うので、作業者が手を挿入する部分においても隙間ができず、作業空間内からの有毒ガスや悪臭などを吸い込むことなく、安全に作業をおこなうことができる。
【図面の簡単な説明】
【００２９】
【図１】本発明の一実施形態に係わる手腕挿入開口可動式フードの全体構成を示す斜視図である。
【図２】図１に示す手腕挿入開口可動式フードから上下動可能ガラス板を取り除いた状態の本体を示す斜視図である。
【図３】図１に示す手腕挿入開口可動式フードの正面図である。
【図４】図１に示す手腕挿入開口可動式フードに使用されている上下動可能ガラス板を示す正面図である。
【図５】図１に示す手腕挿入開口可動式フードに使用されている筒状孔を示す斜視図である。
【図６】図１に示す手腕挿入開口可動式フードにおいて上下動可能ガラス板を上方に移動した状態を示す斜視図である。
【図７】図１に示す手腕挿入開口可動式フードにおいて上下動可能ガラス板を上下方向に移動可能にさせる上下動機構を説明する説明図である。
【図８】図１に示す手腕挿入開口可動式フードに使用されている筒状孔に嵌め込まれたゴム手袋に手を挿入した状態を示す説明図である。
【図９】本発明の他の実施形態に係わる手腕挿入開口可動式フードの上下動可能ガラス板の上下動機構とそのストッパ位置を示す側面図である。
【発明を実施するための形態】
【００３０】
以下、図面を用いて、本発明を実施するための形態(以下、実施形態と称する)を説明する。
【００３１】
図１は、本発明の一実施形態に係わる手腕挿入開口可動式フードの全体構成を示す斜視図である。本実施形態の手腕挿入開口可動式フード１は、後述する作業空間１１背面上方から吸気され排気されることから、作業空間１１は負圧が保たれ、作業空間１１内部の空気が直接、作業空間１１外部に漏れ出ることが無いように構成されている。
【００３２】
図１に示す手腕挿入開口可動式フード１は、例えばアルミニウムフレーム等で構成された縦長で台形状の本体３を有し、この本体３の前面側には前面開口５が形成されている。
【００３３】
この前面開口５は、内部の作業空間１１が見えるように透明なガラス板で形成されるとともに、後述するように上下動することができる本発明の前面開口閉塞手段としての上下動可能ガラス板７で前面開口が閉塞されている。図１では、後述するように上下動可能ガラス板７は下方に移動した位置にある。
【００３４】
なお、本体３の側部にも透明なガラス板で閉塞された側部開放部９が形成され、この側部開放部９から内部の作業空間１１が見えるようになっている。この作業空間１１の底の作業面１１ａの上には図示しない被処理物１７が載置される（例えば図９参照）。また、上下動可能ガラス板７で採用されるガラス板は、全面あるいは一部が着色（蒸着を含む）され、あるいは分割されていても構わない。
【００３５】
図１に示す手腕挿入開口可動式フード１から上下動可能ガラス板７を取り除いた状態の本体３は、図２に示すように、前面開口５が形成されている前面板１３を有するが、この前面板１３の左右両端には、上下動可能ガラス板７を上下方向に移動可能にスライドさせるための案内レール部１３ａ、１３ｂが形成されている。なお、図３は、この案内レール部１３ａ、１３ｂの形成された前面板１３の正面図を示している。前面板１３の案内レール部１３ａ、１３ｂは、上下動可能ガラス板７を上下方向に移動可能にスライドさせ得るように上下動可能ガラス板７の左右両端を保持しているものである。
【００３６】
図４は、前面板１３の案内レール部１３ａ、１３ｂに上下方向に移動可能にスライド式に左右両端が保持される上下動可能ガラス板７を示す正面図である。同図に示すように、上下動可能ガラス板７は、ほぼ中央に横長の長円形の開口部７ａが形成されている。この開口部７ａには、図５の筒状孔を示す斜視図に示すように筒状孔２１が、例えば接着剤とうで固定的に取り付けられた窓ガラス１９が取り付けられるようになっている。この窓ガラス１９は前記案内レール部１３と同様にレールが内装される窓枠１５によって横方向に移動可能に構成される。このとき窓ガラス１９ａ、１９ｂやは窓枠１５には、ゴム製または樹脂製のパッキンが設けられ、これによって機密度を高めるようにしてある。
【００３７】
図６は、図１に示す手腕挿入開口可動式フードにおいて上下動可能ガラス板を上方に移動した状態を示す斜視図である。窓枠１５は、横方向が上下動可能ガラス板７の開口部７ａよりも長く形成され、窓枠１５の左右および中央部分に上下動可能ガラス板７の一部が露出している。これは、後述するように、窓枠１５に透明な２枚の窓ガラスを引戸式に横方向にスライド可能に取り付けた場合において、この２枚の窓ガラスを互いに近づけるように中央に寄せた場合、あるいは外側に引きなした場合に、上下動可能ガラス板７と窓ガラスとの間に隙間ができないようにするためである。なお、上下動可能ガラス板７の開口部７ａに対する窓枠１５の取り付けは、例えば接着、ねじ止め、嵌合などの種々の方法で可能であり、特に限定されるものではない。
【００３８】
前記窓枠１５に嵌め込まれる２枚の透明な窓ガラス１９ａ、１９ｂには、それぞれに筒状孔２１ａ、２１ｂが形成され、この２個の筒状孔２１ａ、２１ｂは、基部が窓ガラス１９ａ、１９ｂに取り付けられ、この基部から先端が突出している。なお、この２個の筒状孔２１ａ、２１ｂは、作業者がこの筒状孔２１ａ、２１ｂから手を作業空間１１に挿入し、作業空間１１の作業面１１ａに置かれている被処理物１７を処理するためのものである。なお、窓ガラス１９ａ、１９ｂは、左右移動透明板を構成するものであり、筒状孔２１ａ、２１ｂは、挿入孔を構成するものである。
【００３９】
更に詳しくは、この２個の筒状孔２１ａ、２１ｂのそれぞれには、図８に示すように、袖の長いゴム手袋２３ａ、２３ｂの開放端部である袖部が取り付けられ、このゴム手袋２３ａ、２３ｂの指などの入る先端は、作業空間１１内に伸びている。そして、作業者は、手をゴム手袋２３ａ、２３ｂの袖から先端まで挿入することで、ゴム手袋２３ａ、２３ｂで覆われた手を作業空間１１に挿入して、作業をできるようになっている。このように筒状孔２１ａ、２１ｂに取り付けられたゴム手袋２３ａ、２３ｂに手を挿入して、手を作業空間１１内に入れ，作業空間１１で被処理物１７を手で処理することにより、作業者の手と前面開口との間に隙間が形成されないようになっている。これらにより挿入孔位置移動手段が構成される。
【００４０】
図６に示すように、前記２枚の窓ガラス１９ａ、１９ｂを上下動可能ガラス板７の開口部７ａに取り付けられた窓枠１５に嵌め込めば、図１に示すように窓ガラス１９ａ、１９ｂは、窓枠１５に沿ってそれぞれ左右方向に引戸式に移動可能になり、上下動可能ガラス板７の開口部７ａを開閉することができるとともに、この窓ガラス１９ａ、１９ｂに形成されている筒状孔２１ａ、２１ｂも窓ガラス１９ａ、１９ｂの左右の移動に従って左右方向に移動し、この移動により筒状孔２１ａ、２１ｂは、互いに近づいたり離れたりすることができるようになる。
【００４１】
すなわち、図８で説明したように筒状孔２１ａ、２１ｂに取り付けたゴム手袋２３ａ、２３ｂに作業者が手を入れた場合において、作業者が手を左右方向に移動して互いに近づけたり離したりすれば、窓ガラス１９ａ、１９ｂも手の左右方向の移動に応じて左右方向に移動して近づいたり離れたりでき、これにより被処理物１７に対する処理を更に自在に行うことができるようになっている。
【００４２】
図７（ａ）、（ｂ）および（ｃ）は、前記上下動可能ガラス板７を前面板１３の案内レール部１３ａ、１３ｂに沿って上下方向に移動可能にさせる上下動機構を示す説明図である。この上下動機構は、前面板１３の案内レール部１３ａ、１３ｂの上部にそれぞれ滑車３１ａ、３１ｂが取り付けられ、この滑車３１ａ、３１ｂにロープ３３ａ、３３ｂがそれぞれ懸けられている。ここでは、ロープとして、ワイヤ、紐、針金等が含まれるものとする。なお、図７においては、上下動可能ガラス板７の開口部７ａに取り付けられる窓枠１５や窓ガラス１９ａ、１９ｂなどは図示を省略している。
【００４３】
前記ロープ３３ａ、３３ｂのそれぞれの一端は、上下動可能ガラス板７の両端部の下方に固定的に取り付けられ、それぞれの他端には、バランス錘３５ａ、３５ｂが取り付けられている。このバランス錘３５ａ、３５ｂは、上下動可能ガラス板７とバランスが取れるような重さに構成され、図７（ａ）の状態では、ロープ３３の両端に上下動可能ガラス板７とバランス錘３５が懸吊、すなわち垂れた状態に吊されて、バランスを取りながら静止している。
【００４４】
また、図７（ｂ）は、上下動可能ガラス板７を上方に移動させた場合であって、この上方に移動した状態においても上下動可能ガラス板７はバランス錘３５ａ、３５ｂとバランスし、この上方位置に静止し得るようになっている。更に、図７（ｃ）は、上下動可能ガラス板７を下方に移動させた場合であって、この下方に移動した状態においても上下動可能ガラス板７はバランス錘３５ａ、３５ｂとバランスし、この下方位置に静止し得るようになっている。
【００４５】
なお、本実施形態では、重量低減手段として、上下動可能ガラス板７の重量の低減をバランス錘３５によって行うようにしているが、例えばバネ式、エアー式、あるいは油圧式の開閉シリンダーに替えて、上下動可能ガラス板７の重量の低減を計るようにしても良いのは言うまでもないことである。
【００４６】
なお、上下動可能ガラス板７の上下方向の移動は、図８に示すように、窓ガラス１９ａ、１９ｂの筒状孔２１ａ、２１ｂにゴム手袋２３ａ、２３ｂを介して作業者が挿入した手を上下に移動させることにより、この手の上下動に応じて窓ガラス１９ａ、１９ｂを介して上下動可能ガラス板７が上下動するとともに、手の上下動を停止すると、この停止位置で上下動可能ガラス板７はバランス錘３５ａ、３５ｂとバランスをとって静止するものである。
【００４７】
上述したように構成される手腕挿入開口可動式フード１において、図１に示す状態では、上下動可能ガラス板７に取り付けられた窓ガラス１９ａ、１９ｂの２個の筒状孔２１ａ、２１ｂは、左右方向においては、ある程度距離をおいて互いに少し離れて位置しているとともに、また２個の筒状孔２１ａ、２１ｂは、上下方向においては、作業面１１ａに近い下方の位置にあって、この２個の筒状孔２１ａ、２１ｂから図１１で説明したように作業者が手を挿入した場合には、作業面１１ａの上にある被処理物１７を手で間近に処理し得るようになっている。
【００４８】
図１に示すように、２個の筒状孔２１ａ、２１ｂが下方の位置にあるのに対して、図６は、２個の筒状孔２１ａ、２１ｂが上方の位置にある状態を示している。これは、上述したように、２個の筒状孔２１ａ、２１ｂにゴム手袋２３ａ、２３ｂを介して作業者が挿入した手を上方に移動させることにより、２個の筒状孔２１ａ、２１ｂは、図６に示すように、上方の位置移動し、前記バランス錘３５ａ、３５ｂによるバランスにより、この上方の位置で静止しているものである。
【００４９】
なお、このような上方への移動は、２個の筒状孔２１ａ、２１ｂに挿入した作業者の手を上方に移動させると、この移動により筒状孔２１ａ、２１ｂが形成されている窓ガラス１９ａ、１９ｂが上方に移動し、この窓ガラス１９ａ、１９ｂの上方への移動により上下動可能ガラス板７が案内レール部１３ａ、１３ｂに沿って上方に移動することにより、円滑に行われるものである。
【００５０】
上述したように、２個の筒状孔２１ａ、２１ｂが上方に移動した状態では、筒状孔２１ａ、２１ｂから挿入した作業者の手は、図示しないが、作業空間１１の上方に位置する被処理物などを処理するのに有効である。
【００５１】
図６では、図１に示すように２個の筒状孔２１ａ、２１ｂが下方の位置にある場合において２個の筒状孔２１ａ、２１ｂを互いに接近させるように近づけた状態を示している。この２個の筒状孔２１ａ、２１ｂの接近は、２個の筒状孔２１ａ、２１ｂにゴム手袋２３ａ、２３ｂを介して作業者が挿入した手を互いに接近させるように近づけることにより、筒状孔２１ａ、２１ｂの形成されている窓ガラス１９ａ、１９ｂが窓枠１５に沿ってスライド式に左右に移動することにより行われる。
【００５２】
このように２個の筒状孔２１ａ、２１ｂを近づけることにより、作業者の手は、被処理物１７に更に近づき、被処理物１７に対して複雑な処理なども正確に行うことができるようになる。
【００５３】
なお、図６に示したように、２個の筒状孔２１ａ、２１ｂを上方に移動した状態においても、２個の筒状孔２１ａ、２１ｂを図６に示すように互いに近づけることは勿論可能であり、図１および図６に示す位置に限らず、案内レール部１３ａ、１３ｂに沿って上下動可能ガラス板７が上下動できるとともに、窓ガラス１９ａ、１９ｂが窓枠１５に沿って左右に移動できる範囲における任意の上下左右位置に筒状孔２１ａ、２１ｂを移動させ、この上下左右の任意の位置において作業者は手を作業空間１１に挿入して、被処理物を最適な状態で処理することができるとともに、この上下左右の任意の位置おいても、作業空間１１は、前面開口５は上下動可能ガラス板７および窓ガラス１９ａ、１９ｂで完全に閉塞され、外部に連通する隙間などが形成されず、従って隙間から有毒ガスや悪臭あるいは細菌などが作業者の方や実験室等の室内に逆流することが防止されている。
【００５４】
上述してきたように、本実施形態によれば、作業空間前面の開口を上下方向に移動する透明板によって閉塞する前面開口閉塞手段と、この前面開口閉塞手段に設けられる作業者の手を挿入するための挿入孔の位置を左右方向に移動可能とする挿入孔位置移動手段とを備えているので、前面開口を完全に閉塞しつつ、作業者の手が挿入された挿入孔の位置を作業者の意志通りに上下左右に自由に移動することが可能となる。
【００５５】
図９は、本発明の他の実施形態に係わる手腕挿入開口可動式フードを示す側面図である。同図に示す手腕挿入開口可動式フード１００は、図１乃至図８に示した手腕挿入開口可動式フード１において本体３の下部が棒状の脚体４１で支持されているとともに、図７で示したバランス錘３５が図９では符号１３５で示すように本体３の後面側に設けられる。
【００５６】
このバランス錘１３５は、本体３の上部の前後両隅に設けられた滑車１３１ａ、１３１ｂに掛けられたロープ１３３の後端に取り付けられ、このロープ１３３の他端が本体３の前面側に伸び、上下動可能ガラス板７に取り付けられている点と、ストッパ１３７が前後にそれぞれ取り付けられている点が異なるものであり、その他の基本的構成および作用は図１乃至図１１で説明した手腕挿入開口可動式フード１と同じであり、同じ構成要素には同じ符号を付し、その説明を省略する。
【００５７】
これらストッパ１３７は、上下動可能ガラス板７の軌道にあって、その動きを規制するもので、例えば、ストッパ１３７ａは上下動可能ガラス板７の上端を規制して、開口量を制限するものであり、ストッパ１３７ｂはバランス錘３５の上端を規制して上下動可能ガラス板７の下降位置を制限するものである。これらにより、上下動可能ガラス板７の上下方向の移動距離、すなわち開口量を制限することができる。
【００５８】
さらに、ストッパ１３７ａは上下動可能ガラス板７の軌道外に移動することが可能であり、これにより上下動可能ガラス板７を上方に引き上げて、本体３の前面開口をほぼ全開として、作業面１１ａへの、比較的大きな被処理物１７や各種機器の設置を容易なものとすることが可能となる。また、ストッパ１３７ａを上下２段に設けて、下段のストッパ１３７ａは上下動可能ガラス板７の下端が上がり過ぎを防止するようにして、作業者の作業によって閉塞状態が解除、すなわち上下動可能ガラス板７の下端において開口されるのを未然に防止することができるようにしても良い。なお、ストッパ１３７ｂも移動可能とすることができるが、本実施形態にあっては固定としている。
【００５９】
以上、実施形態を挙げて本発明の実施の形態を説明したが、前記実施形態は一例であり、特許請求の範囲に記載される発明の範囲は、発明の要旨を逸脱しない範囲内で種々変更できるものである。
【符号の説明】
【００６０】
１  ドラフトチャンバ
３  本体
５  前面開口
７  上下動可能ガラス板
７ａ  開口部
９  側部開放部
１１  作業空間
１１ａ  作業面
１３  前面板
１３ａ、１３ｂ  案内レール部
１５  窓枠
１７  被処理物
１９ａ、１９ｂ  窓ガラス
２１ａ、２１ｂ  筒状孔
２３ａ、２３ｂ  ゴム手袋
２５  手
３１ａ、３１ｂ  滑車
３３ａ、３３ｂ  ロープ
３５ａ、３５ｂ  バランス錘
４１  脚体
１３１ａ、１３１ｂ  滑車
１３３  ロープ
１３５  バランス錘
１３７  ストッパ
【図１】
2013230423.tif 000003
【図２】
2013230423.tif 000004
【図３】
2013230423.tif 000005
【図４】
2013230423.tif 000006
【図５】
2013230423.tif 000007
【図６】
2013230423.tif 000008
【図７】
2013230423.tif 000009
【図８】
2013230423.tif 000010
【図９】
2013230423.tif 000011